(57)【要約】【課題】引く動作により使用することができ、操作が容易で既存の車椅子にも簡単にキットの形で付加すれば得られる構成の車椅子を提供する。【解決手段】本体の前部に方向を変えることのできる前輪と、後部両側方に後輪からなる通常構成の車椅子の後軸に回動可能軸を設け、後輪タイヤを左右からはさむ形で隙間を残して片方にローラを設けたＵ字金具を回動可能軸の先端に回動可能に設け、Ｕ字金具の回動可能軸と離れた側からこのＵ字金具をプーリに掛けたワイヤで力の入れやすい方向に向きを変えて進行方向に引くと、後輪タイヤをこじて摩擦が発生して駆動する。回動可能軸を戻すためにこれらの自重又はバネを用いる。Ｕ字金具の中立位置への戻しのためにバネを用いる。更に片手で駆動するため左右のワイヤをバーで連結し、その中央を片手で押し又は引き運転する。舵を取るには片方に力が掛かるようにバーを駆動する。【選択図】        図１
2004188143.tif 000002
【特許請求の範囲】
【請求項１】
略板状の本体と、この本体の後部に設けられ、脚を前方に向けて使用者を座らせるシートと、本体の前部に設けられ、方向を変えることの出来る前輪と、本体の後部両側方にそれぞれ設けられる後輪と、本体の両側後軸にそれぞれ軸支して設けられた駆動軸と、この軸支された他端に軸支して設けられた車輪タイヤをこじて駆動するＵ字金具と駆動軸の反対側にあるＵ字金具の他端を前後に操作して前進、後進、回転することを特徴とする車椅子。
【請求項２】
略板状の本体と、この本体の後部に設けられ、脚を前方に向けて使用者を座らせるシートと、本体の前部に設けられ、使用者の脚を覆うカバーと、本体の前部に設けられ、方向を変えることの出来る前輪と、本体の後部両側方にそれぞれ設けられる後輪と、本体の両側後軸にそれぞれ軸支して設けられた駆動軸と、この軸支された他端に軸支して設けられた車輪タイヤをこじて駆動するＵ字金具とこのＵ字金具の他端に取り付けられたワイヤとこのワイヤを掛けるプーリとこのプーリを肘掛けの後部に回転可能に取付、ワイヤを肘掛け全部にめぐらせそこに取り付けたプーリを通じてワイヤを引いて駆動することを特徴とする車椅子。
【請求項３】
前記Ｕ字金具の車輪タイヤに接する位置の片面にローラーを設けたことを特徴とする請求項１又は２に記載の車椅子。
【請求項４】
前記Ｕ字金具に中立位置への戻しバネを設けたことを特徴とする請求項１〜３のいずれかに記載の車椅子。
【請求項５】
前記駆動軸を元の位置へ戻す戻しバネを設けたことを特徴とする請求項１〜４のいずれかに記載の車椅子。
【請求項６】
前記左右のＵ字金具の他端あるいは左右のワイヤ間にバーを渡しこれを引いて駆動したことを特徴とする請求項１〜５のいずれかに記載の車椅子。
【請求項７】
前記車椅子の車輪に設けられた左右のブレーキ両方に利くブレーキワイヤを設け、このブレーキワイヤに腕輪を設け、これを肘で引いてブレーキをかけることを特徴とする請求項１〜７のいずれかに記載の車椅子。
【発明の詳細な説明】
【０００１】
【発明の属する技術分野】
本発明は、病院内等平らな面での移動、あるいは初期の身体障害者のリハビリテーションに有効な車椅子に関する。
【０００２】
【従来の技術】
従来より広く用いられている車椅子は、脚を下方に向けてシートに座り、手で引く動作で行うものである。その構成は、略板状の本体と、この本体の後部に設けられ、脚を前方に向けて使用者を座らせるシートと、本体の前部に設けられ、使用者の脚を覆うカバーと、本体の前部に設けられ、方向を変えることの出来る前輪と、本体の後部両側方にそれぞれ設けられる後輪と、本体の両側部にそれぞれ設けられ、両手でそれぞれ前後方向に操作される操作レバーと、本体の両側部にそれぞれ設けられ、各操作レバーと各後輪とを結合し、ラチェット機構を内蔵して操作レバーの前後動により後輪を左右別個に前方へ駆動する駆動部とからなる車椅子である。
【０００３】
また、上記車椅子において、駆動部が、後輪と回転結合した後チエンホイルと、この後チエンホイル前方に設けられた前チエンホイルと、これらの前後チエンホイル間に調節されたチエンと、ラチェット機構を内蔵して一方向のみに回転可能となり、操作レバーに取付けられて前後動し、前記チエンの前後チエンホイル間部分に係合してチエンを一方向に送り、後輪を駆動するレバーチエンホイルとからなる車椅子が示されている。
【０００４】
【特許文献１】特開平８−１０３４６５
【０００５】
【発明が解決しようとする課題】
この従来の車椅子は、構成が複雑で既製品に簡単に付加出来なかった。そのため、病院等では備え付けのものを用いるしかなかった。また、緊急時のブレーキが片手では操作しにくかった。
【０００６】
そこで本発明は、上記不都合を解消し、あとから付加装置を取り付けるだけで引く動作で左右どちらかの手で運転出来、病院内を移動出来、リハビリテーションにも役立つ操作が容易で、緊急のブレーキ操作も片手で出来る車椅子を得ることを目的としたものである。
【０００７】
【課題を解決するための手段】
請求項１に記載の車椅子は、略板状の本体と、この本体の後部に設けられ、脚を前方に向けて使用者を座らせるシートと、本体の前部に設けられ、使用者の脚を覆うカバーと、本体の前部に設けられ、方向を変えることの出来る前輪と、本体の後部両側方にそれぞれ設けられる後輪と、本体の両側後軸にそれぞれ軸支して設けられた駆動軸と、この軸支された他端に軸支して設けられた車輪タイヤをこじて駆動するＵ字金具と駆動軸の反対側にあるＵ字金具の他端を前後に操作して前進、後進、回転することを特徴とする車椅子。
【０００８】
請求項２に記載の車椅子は、略板状の本体と、この本体の後部に設けられ、脚を前方に向けて使用者を座らせるシートと、本体の前部に設けられ、使用者の脚を覆うカバーと、本体の前部に設けられ、方向を変えることの出来る前輪と、本体の後部両側方にそれぞれ設けられる後輪と、本体の両側後軸にそれぞれ軸支して設けられた駆動軸と、この軸支された他端に軸支して設けられた車輪タイヤをこじて駆動するＵ字金具とこのＵ字金具の他端に取り付けられたワイヤとこのワイヤを掛けるプーリとこのプーリを肘掛けの後部に回転可能に取付、ワイヤを肘掛け全部にめぐらせそこに取り付けたプーリを通じてワイヤを引いて駆動する。
【０００９】
請求項３に記載の車椅子は、Ｕ字金具の車輪タイヤに接する位置の片面にローラーを設ける。
【００１０】
請求項４に記載の車椅子は、Ｕ字金具に中立位置への戻しバネを設けたことを特徴とする。
【００１１】
請求項５に記載の車椅子は、駆動軸を元の位置へ戻す戻しバネを設けたことを特徴とする。
【００１２】
請求項６に記載の車椅子は、左右のＵ字金具の他端あるいは左右のワイヤ間にバーを渡しこれを引いて駆動したことを特徴とする。
【００１３】
請求項７に記載の車椅子は、車椅子の車輪に設けられた左右のブレーキ両方に利くブレーキワイヤを設け、このブレーキワイヤに腕輪を設け、これを肘で引いてブレーキをかける。
【００１４】
【実施の形態】
以下、本発明を図示する実施例について具体的に説明する。
【００１５】
図１は本発明の一実施例の左側面図、図２は本発明の一実施例の左後輪部周辺を示す背面図、図３は本発明の一実施例の左後輪部周辺を示す平面図、図４は本発明の一実施例の動作説明図である。図１〜４において、１０は車椅子、、１１は略板状に形成された本体であり、後部上面には、脚を前方に向けて使用者を座らせるシート１３が設けられている。１４は本体の前部に設けられ方向を変えることの出来る前輪、１５は本体の後部両側方にそれぞれ設けられる後輪、１５ａは後輪タイヤ、１６は本体の両側に設けられ後軸を軸支する後軸、１７は後軸にそれぞれ軸支して設けられた駆動軸、１７ａはこの駆動軸１７の軸支された他端に軸支して設けられた車輪タイヤをこじて駆動するＵ字金具、１７ｂはこのＵ字金具に取り付けられたローラ、１７ｃは駆動軸１７を後軸に軸支するように引っかける引っかけ部、１７ｄは駆動軸１７を外れないようにする固定ネジ、１８はＵ字金具１７ａの他端に取り付けられたワイヤ、１９はこのワイヤ１８を掛ける後部プーリ、２０はこのワイヤ１８を掛ける前部プーリ、２１はこのプーリが後部、前部に回転可能に設けられた肘掛けであり、ワイヤを肘掛け全部にめぐらせ、そこに取り付けたプーリを通じてワイヤを引いて駆動するように構成されている。
【００１６】
なお、後軸１６、駆動軸１７、Ｕ字金具１７ａ、ローラ１７ｂ、ワイヤ１８、後部プーリ１９、前部プーリ２０、肘掛け２１及びこれらの付属品は、本体１１に対して後で取り付け出来るようになっている。後で取り付け出来るようになっていることで既存の車椅子に取付が可能となっている。肘掛け２１の取付位置は使用者の都合に合わせて前後に調節可能とすることが望ましい。２２はワイヤ１８を引きやすくするグリップであり、肘掛け２１の位置を変えて前部プーリ２０の位置つまりワイヤ１８の先端に設けられたグリップ２２を使いやすい位置にシート１３に座った使用者に合わせることが出来る。グリップ２２は戻りすぎて前部プーリ２０に当たらないようストッパ２３が肘掛けに設けられている。２４は左右のグリップ２２を連結するバーであり、その中央を持ち手前の方に引くことで片手で運転することが出来る。さらには駆動軸１７を図１のグリップ２２のあたりに位置させて手で直接操作しても良い。この場合にはＵ字金具１７ａを駆動軸１７に対して中立位置に戻す図示しないバネを設ければ、前進、後進、その場回転も可能である。
【００１７】
本体１１の後部両側方には、後輪１５、１５がそれぞれ設けられている。この後輪１５、１５は大径で、向きが固定されたものであり、例えば、自転車用車輪をそのまま使用することが出来る。
【００１８】
また、車椅子１０の構成も、上記の構成のほか、各種の構成を採用することが出来る。
【００１９】
上記例では、前輪１４としてキャスターを用い、自在に方向変換が出来るようにしたが、マラソン等に使用する場合は、前輪１４を半固定式とし、常時は向きを固定し、手動操作で向きを変えるようにすることも出来る。
【００２０】
また、駆動部の構成も、上記例のもののほか、各種の構成を採用することが出来る。
【００２１】
さらに上記例では、駆動部は、グリップ２２を引く操作により、後輪１５を前方へ駆動するものであるが、駆動軸１７のＵ字金具１７ａを押す操作により、後輪１５を前方へ駆動するものとすることも出来、さらに、切換え機構を設けて、引いて前進、押して前進する作動を選択出来るようにしてもよい。
【００２２】
上記例では、車椅子全体で構成されているが、使用状況によっては、これを普通の構成の車椅子にキットも形で付加することで構成出来るので、すでに多数の車椅子がある状況に置いて安価に提供することが可能である、
【００２３】
【発明の効果】
請求項１の車椅子は、略板状の本体と、この本体の後部に設けられ、脚を前方に向けて使用者を座らせるシートと、本体の前部に設けられ、使用者の脚を覆うカバーと、本体の前部に設けられ、方向を変えることの出来る前輪と、本体の後部両側方にそれぞれ設けられる後輪と、本体の両側後軸にそれぞれ軸支して設けられた駆動軸と、この軸支された他端に軸支して設けられた車輪タイヤをこじて駆動するＵ字金具と駆動軸の反対側にあるＵ字金具の他端を前後に操作して前進、後進、回転するので、Ｕ字金具の他端を前後に操作する位置を手の届きやすい位置で前後に操作して前進、後進、回転出来る。
【００２４】
請求項２の車椅子は、略板状の本体と、この本体の後部に設けられ、脚を前方に向けて使用者を座らせるシートと、本体の前部に設けられ、使用者の脚を覆うカバーと、本体の前部に設けられ、方向を変えることの出来る前輪と、後部両側方に後輪からなる通常構成の車椅子の後軸に回動可能軸を設け後輪タイヤを左右からはさむ形で隙間を残してＵ字金具を回動可能軸の先端に回動可能に設けＵ字金具の回動可能軸と離れた側からＵ字金具をプーリに掛けたワイヤで力の入れやすい方向に向きを変えて進行方向に引くと後輪タイヤをこじて摩擦が発生して駆動する。車椅子前進のために引かれて上がった回動可能軸を元の位置に戻すためにこれらの自重又はバネを用いる。同様に後輪タイヤをこじてＵ字金具が回動したのを中立位置への戻すためにバネを用いる。さらに片手で駆動するため左右のワイヤをバーで連結しその中央を片手で押し又は引き運転する。舵を取るには片方に力が掛かるようにバーを駆動する。
【００２５】
以上のように構成されているので、力の入りやすい引く動作により使用することが出来、操作が容易で既存の車椅子にも簡単にキットを付加すれば得られる構成の車椅子を提供出来る。さらに引く方向も使う方の特性に合わせられ、バーを操作することで片手での駆動も簡単である。
【００２６】
本発明の車椅子は、上述のように、略板状に脚を前方に向けて座り、使用するものであるから、体格特に脚の長さに応じて性格に寸法を合わせることが不要となる。したがって、従来のような注文生産ではなく、既製品とすることが出来、だれでも、早期に使用を開始することが出来、リハビリテーションに有効である。特に、シート位置を調節可能としておくと、より多様な使用者に合わせることが出来、かつより快適な使用感を実現することが出来る。
【００２７】
本発明の車椅子の駆動は、Ｕ字金具の円弧運動によるので、従来の車椅子と異なる筋力を使用することになり、従来の車椅子と併用することにより、身体の筋力バランスを良好に維持することが可能となる。特にこの車椅子を、引く操作で前進するようにすると、従来の車椅子でほとんど使用しない、腕を引く筋力を使用するので、筋力バランスのためにきわめて効果的である。
【００２８】
また、本発明の車椅子の駆動部は、車輪タイヤをこじて挟むことによるラチェット機構を内蔵しているため、ワイヤ又はバーの一回の操作だけで、慣性により進行し続けるので、運動効率が高く、しかも操作が容易となる。特に、引く操作で前進するようにすると、この車椅子の作動は、ボートを漕ぐ操作とほぼ同一となるので、健常者にとっても馴染みのあるものとなる。したがって、突然の車椅子生活になったものでも使いやすいものとなり、身障者の精神的活性を回復することも可能となる。
【００２９】
請求項３に記載の車椅子は、Ｕ字金具の車輪タイヤに接する位置の片面にローラーを設けたので、よりスムースに操作が出来る。
【００３０】
請求項４に記載の車椅子は、Ｕ字金具に中立位置への戻しバネを設けたので、よりスムースに操作が出来る。
【００３１】
請求項５に記載の車椅子は、駆動軸を元の位置へ戻す戻しバネを設けたので、よりスムースに操作が出来る。
【００３２】
請求項６に記載の車椅子は、左右のＵ字金具の他端あるいは左右のワイヤ間にバーを渡しこれを引いて駆動するようにしたので、片手で運転が出来る。
【００３３】
請求項７に記載の車椅子は、車椅子の車輪に設けられた左右のブレーキ両方に利くブレーキワイヤを設け、このブレーキワイヤに腕輪を設け、これを肘で引いてブレーキをかけるので、緊急の際に片手で安全に停止出来る。
【図面の簡単な説明】
【図１】本発明の一実施例の左側面図である。
【図２】本発明の一実施例の左後輪部周辺を示す背面図である。
【図３】本発明の一実施例の左後輪部周辺を示す平面図である。
【図４】本発明の一実施例の動作説明図である。
【符号の説明】
１０  車椅子
１１  本体
１２  使用者
１３  シート
１４  前輪
１５  後輪
１５ａ  後輪タイヤ
１６  後軸
１７  駆動軸
１７ａ  Ｕ字金具
１７ｂ  ローラ
１７ｃ  引っかけ部
１７ｄ  固定ネジ
１８  ワイヤ
１９  後部プーリ
２０  後部プーリ
２１  肘掛け
２２  グリップ
２３  ストッパ
２４  バー
【図１】
2004188143.tif 000003
【図２】
2004188143.tif 000004
【図３】
2004188143.tif 000005
【図４】
2004188143.tif 000006